(57)【要約】【解決課題】ヒップアップ用のテープが外部に露出することがなく、外観に優れているとともに、ヒップアップ用のテープが絡まったりすることがなく、着用動作が容易に行なえ、着用性に優れたヒップアップテープ付ボトムを提供することを課題とする。【解決手段】パンティ、ガードル等下着のボトム裏側であって、左右のヒップ部の下部にヒップアップ用テープの基端部をそれぞれ固着するとともに、当該左右のヒップアップ用テープの先端部を、左右のヒップ部の裾部から体側部を通してボトム前面のウエスト部近傍に位置せしめ、前記ボトム前面のウエスト部近傍の内側には、前記左右のヒップアップ用テープの先端部を係止具によって係止するための係止用布片を、外部に露出しないように縫着して課題を解決した。【選択図】　図１
2004019012.tif 000002
【特許請求の範囲】
【請求項１】
パンティ、ガードル等下着のボトム裏側であって、左右のヒップ部の下部にヒップアップ用テープの基端部をそれぞれ固着するとともに、当該左右のヒップアップ用テープの先端部を、左右のヒップ部の裾部から体側部を通してボトム前面のウエスト部近傍に位置せしめ、前記ボトム前面のウエスト部近傍の内側には、前記左右のヒップアップ用テープの先端部を係止具によって係止するための係止用布片を、外部に露出しないように縫着したことを特徴とするヒップアップテープ付ボトム。
【請求項２】
前記ヒップアップテープ付ボトムの前身頃には、その中央部に縦方向に沿ってファスナーを設け、前記係止用布片に対して左右のヒップアップ用テープを係止する動作を容易としたことを特徴とする請求項１記載のヒップアップテープ付ボトム。
【請求項３】
前記ヒップアップテープ付ボトムの内側には、前記左右のヒップアップ用テープを、左右のヒップ部の裾部から体側部を通してボトム前面に案内する袋状の案内部を設けたことを特徴とする請求項１又は２に記載のヒップアップテープ付ボトム。
【請求項４】
前記係止具がボトムの係止用布片に形成される雌部に係止する雄部を形成していることを特徴とする請求項１乃至３のいずれかに記載のヒップアップテープ付ボトム。
【請求項５】
前記ボトムの係止用布片自体が、係止具の雌部を形成していることを特徴とする請求項４に記載のヒップアップテープ付ボトム。
【請求項６】
前記ヒップアップ用テープとして、伸縮性のあるテープを用い、当該伸縮性のあるテープに幅の狭い低伸縮性の裏当てを添設ることによりテープの幅方向の下側を低伸縮部として臀部の裾のヒップアップ効果を高めるよう構成したことを特徴とする請求項１乃至５のいずれかに記載のヒップアップテープ付ボトム。
【請求項７】
前記ヒップアップ用テープとして、伸縮性のあるテープを用い、前記テープを幅方向の下側より順次伸縮率が高くなるように異なった伸縮率の布材からなる多層構造に構成し、臀部の裾のヒップアップ効果を高めるとともに臀部における頂部と裾部との間にテープの長さ方向の伸度の急激な段差を生じないようによう構成したことを特徴とする請求項１乃至５のいずれかに記載のヒップアップテープ付ボトム。
【発明の詳細な説明】
【０００１】
【発明の属する技術分野】
この発明は、調節自在のヒップアップテープを有するパンティやガードル等、下着のボトムに関する。
【０００２】
【従来の技術】
従来、パワーネット等の伸縮性生地を用いたガードルのヒップ部の下方裾部に沿って低伸縮部を設けたいわゆるヒップアップ型ガードルがある。図６に示したものは、パワーネット等の伸縮性生地１３３を用いたパンティあるいはガードル１３１のヒップ部１３２の下方裾部Ｓに沿って低伸縮部１３５を設けたもので、該低伸縮部１３５は裾部Ｓに沿う方向であるウェスト部１３４への牽引方向Ａおよびこれに直交してヒップ部１３２の頂部Ｔに向かう方向Ｂに低伸縮性を示すもので、このため、前記ウェスト部１３４が牽引されるごとくガードル１３１を着用すると、低伸縮部１３５は伸縮性がないために、ヒップ部１３２の内側の臀部を裾部から押さえて持ち上げるヒップアップ効果を奏することになるが、例えば腰を曲げたりすることによって前記伸縮性のない低伸縮部１３５が臀部の裾部からＢ方向にずり上がってしまうと、ヒップ部１３２の他の伸縮性生地１３３の伸縮も手伝って、該低伸縮部１３５がもとに戻ることができなくなってしまう「ずり上がり現象」を生じることがあった。そして、結果的にウェスト部の「ずり下がり現象」も生じた。
【０００３】
このため、前記低伸縮部１３５を、ウェスト部１３４への牽引方向Ａにおいて低伸縮性を示すと同時にヒップ部１３２の頂部Ｔに向かう方向Ｂにある程度の伸縮性を示す樹脂コーティング等を施すことによって、ヒップ部１３２の頂部Ｔに向かう方向Ｂへの「ずり上がり現象」を防止できるヒップアップ型ガードル等が案出された。
【０００４】
しかしながら、このようなヒップ部の頂部に向かう方向への「ずり上がり現　象」を防止できるガードルによって所期のヒップアップ効果が得られても、表生地であるガードル１３１に裏生地である低伸縮部１３５を縫い付けただけのものでは低伸縮部のパターンが定まっており、一定のヒップアップ効果しか期待できず、ガードルを着用する個人の体型に合った適切なサイズが選定されないと、　「ずり上がり現象」を抑止しながらの充分なヒップアップ効果が期待できないものとなった。このため、種々のサイズのガードルを揃えねばならず不経済であるばかりでなく、生産性の向上も望めなかった。しかも、ヒップアップの程度についても何ら調節することは不可能であった。
【０００５】
そこで、本出願人は、上記従来のヒップアップ型パンティやガードル等、下着のボトムにおける課題を解決して、着用者の体型に応じて多くのサイズを揃えずとも、「ずり上がり現象」を有効に抑止し得て充分なヒップアップ効果が得られるばかりでなく、ヒップアップの程度についても着用者の体型に応じて微妙な調節を可能にしたパンティやガードル等、下着のボトムを提供するため、実用新案登録第３０２８０５９号公報に開示された技術を既に提案している。
【０００６】
この実用新案登録第３０２８０５９号公報に係るボトムは、パンティ、ガードル等下着のボトム裏側の股下部の後部両側にそれぞれの下側のみが縫着された伸縮性のある一対のテープのそれぞれの上端に係止具を設けるように構成したものである。
【０００７】
【考案が解決しようとする課題】
しかしながら、上記従来技術の場合には、次のような問題点を有している。すなわち、上記実用新案登録第３０２８０５９号公報に係るボトムは、パンティ、ガードル等下着のボトム裏側の股下部の後部両側にそれぞれの下側のみが縫着された伸縮性のある一対のテープのそれぞれの上端に係止具を設けるように構成したものであるが、ヒップアップ用のテープの先端部が体の表面に露出するため、外観が悪いという問題点を有しているとともに、ヒップアップ用のテープの先端部が絡まってしまう虞れがあり、着用時に絡まったヒップアップ用のテープを解く等の動作を行なわなければならず、着用動作が煩雑となるという問題点を有していた。
【０００８】
そこで、この発明は、上記従来技術の問題点を解決するためになされたものであり、その目的とするところは、ヒップアップ用のテープが外部に露出することがなく、外観に優れているとともに、ヒップアップ用のテープが絡まったりすることがなく、着用動作が容易に行なえ、着用性に優れたヒップアップテープ付ボトムを提供することにある。
【０００９】
【課題を解決するための手段】
前記課題を解決するために、請求項１に記載された発明は、パンティ、ガードル等下着のボトム裏側であって、左右のヒップ部の下部にヒップアップ用テープの基端部をそれぞれ固着するとともに、当該左右のヒップアップ用テープの先端部を、左右のヒップ部の裾部から体側部を通してボトム前面のウエスト部近傍に位置せしめ、前記ボトム前面のウエスト部近傍の内側には、前記左右のヒップアップ用テープの先端部を係止具によって係止するための係止用布片を、外部に露出しないように縫着したことを特徴とするヒップアップテープ付ボトムである。
【００１０】
また、請求項２に記載された発明は、前記ヒップアップテープ付ボトムの前身頃には、その中央部に縦方向に沿ってファスナーを設け、前記係止用布片に対して左右のヒップアップ用テープを係止する動作を容易としたことを特徴とする請求項１記載のヒップアップテープ付ボトムである。
【００１１】
さらに、請求項３に記載された発明は、前記ヒップアップテープ付ボトムの内側には、前記左右のヒップアップ用テープを、左右のヒップ部の裾部から体側部を通してボトム前面に案内する袋状の案内部を設けたことを特徴とする請求項１又は２に記載のヒップアップテープ付ボトムである。
【００１２】
また更に、請求項４に記載された発明は、前記係止具がボトムの係止用布片に形成される雌部に係止する雄部を形成していることを特徴とする請求項１乃至３に記載のヒップアップテープ付ボトムである。
【００１３】
さらに、請求項５に記載された発明は、前記ボトムの係止用布片自体が、係止具の雌部を形成していることを特徴とする請求項４に記載のヒップアップテープ付ボトムである。
【００１４】
又、請求項６に記載された発明は、前記ヒップアップ用テープとして、伸縮性のあるテープを用い、当該伸縮性のあるテープに幅の狭い低伸縮性の裏当てを添設ることによりテープの幅方向の下側を低伸縮部として臀部の裾のヒップアップ効果を高めるよう構成したことを特徴とする請求項１乃至５のいずれかに記載のヒップアップテープ付ボトムである。
【００１５】
更に、請求項７に記載された発明は、前記ヒップアップ用テープとして、伸縮性のあるテープを用い、前記テープを幅方向の下側より順次伸縮率が高くなるように異なった伸縮率の布材からなる多層構造に構成し、臀部の裾のヒップアップ効果を高めるとともに臀部における頂部と裾部との間にテープの長さ方向の伸度の急激な段差を生じないようによう構成したことを特徴とする請求項１乃至５のいずれかに記載のヒップアップテープ付ボトムである。
【００１６】
【発明の実施の形態】
以下に、この発明の実施の形態について図面を参照して説明する。
【００１７】
実施の形態１
図１はこの発明の実施の形態１に係るヒップアップテープ付ボトムを示すものである。
【００１８】
図１において、１はヒップアップテープ付ボトムとしてのガードルを示すものであり、このガードル１は、その略全体がパワーネット等の伸縮性生地を用いて縫製されている。上記ガードル１は、人体骨格のウエスト部から太腿の上部までを左側を覆う左身頃部２と、人体骨格のウエスト部から太腿の上部までを右側を覆う右身頃部３を主体４として、後部のバックセンター５にて縫合され人体骨格のウエスト部からヒップ部を覆う筒状体６を形成するとともに、当該左身頃部２と右身頃部３の下端部２ａ、３ａを、内股７、８で筒状に縫着して脚部９、１０が形成されている。なお、図１中、１１はウェスト部を示している。
【００１９】
また、上記ガードル１の股下部には、図１に示すように、後マチ部１２が前面側から裏面側にかけて、左右の身頃部２、３と一体的に縫着１３、１４されている。
【００２０】
ところで、この実施の形態では、パンティ、ガードル等下着のボトム裏側であって、左右のヒップ部の下部にヒップアップ用テープの基端部をそれぞれ固着するとともに、当該左右のヒップアップ用テープの先端部を、左右のヒップ部の裾部から体側部を通してボトム前面のウエスト部近傍に位置せしめ、前記ボトム前面のウエスト部近傍の内側には、前記左右のヒップアップ用テープの先端部を係止具によって係止するための係止用布片を、外部に露出しないように縫着したものである。
【００２１】
また、この実施の形態では、前記ヒップアップテープ付ボトムの前身頃には、その中央部に縦方向に沿ってファスナーを設け、前記係止用布片に対して左右のヒップアップ用テープを係止する動作を容易としたものである。
【００２２】
すなわち、この実施の形態に係るガードル１内面の裏側には、図２、図７及び図８に示すように、当該ガードル１の股下部において、左右の身頃部２、３と後マチ部１２が一体的に縫着された縫着部１５、１６に、左右のヒップアップ用テープ１７、１８の基端部１７ａ、１８ａがそれぞれ縫着されており、当該左右のヒップアップ用テープ１７、１８の基端部１７ａ、１８ａは、左右のヒップ部の裾部から体側部を通してガードル１前面のウエスト部近傍に位置せしめられている。また、上記左右の身頃部２、３の内側には、左右のヒップアップ用テープ１７、１８を、左右のヒップ部の裾部から体側部を通してガードル１前面に案内する袋状の案内部１９、２０が設けられている。この案内部１９、２０は、左右の身頃部２、３の内側に縫着された左右の案内部布片２１、２２によって形成されている。これら左右の案内部布片２１、２２は、その上端部２１ａ、２２ａが、左右の身頃部２、３の内側に、左右のヒップアップ用テープ１７、１８の上端縁に沿って縫着されており、その下端部２１ｂ、２２ｂが、左右のヒップアップ用テープ１７、１８の先端部側に位置する下端縁に沿うとともに、脚部９、１０の背面側の下端部まで縫着されている。そして、上記左右のヒップアップ用テープ１７、１８の先端部１７ｂ、１８ｂは、左右の案内部１９、２０を通して、ガードル１前面の両太腿の付け根近傍において、ガードル１の内側に引き出され、ガードル１前面のウエスト部近傍の内側に位置せしめられるようになっている。
【００２３】
なお、図７中、太線のジグザグは表裏の縫い止めを、細線のジグザグは裏地のみの縫い止めを、それぞれ示している。
【００２４】
また、上記ガードル１のウエスト部近傍の内側には、図２に示すように、前記左右のヒップアップ用テープ１７、１８の先端部１７ｂ、１８ｂを係止具によって係止するための係止用布片２３が、外部に露出しないように縫着されている。この係止用布片２３は、図２（ａ）に示すように、正面略三角形状に形成されているが、その上端部の左右両端部２３ａ、２３ｂは、内側に向けて斜めにカットされている。さらに、上記係止用布片２３は、図２に示すように、その斜めにカットされた左右の上端縁２３ａ、２３ｂが、ガードル１のウエスト部の内側に縫着されているとともに、その正面略三角形状に形成された下端縁２３ｃが、後マチ部１２の前端縁に縫着されている。その結果、上記係止用布片２３は、図２に示すように、その斜めにカットされた左右の上端縁２３ａ、２３ｂと、下端縁２３ｃのみが、ガードル１の主体４に縫着されていて、他の部分は、ガードル１の主体４に対してフリーとなっている。また、上記係止用布片２３の上端部には、図２（ｂ）に示すように、その裏面側に伸縮性テープ２４が縫着されているとともに、左右の側縁２３ｄ、２３ｅには、縁取りテープ２５、２６が縫着されている。さらに、上記係止用布片２３の表面側（体の外側に位置する面）の素材は、柔らかい繊維がループ状に起毛された素材から形成されており、当該係止用布片２３の表面自体が、係止具としてのマジックテープ（登録商標）の雌部を構成している。
【００２５】
一方、上記各ヒップアップ用テープ１７、１８の先端部１７ｂ、１８ｂの裏面側（体の内側に位置する面）には、図２（ｂ）に示すように、係止具としてのマジックテープ（登録商標）の雄部２９が、縫着や接着等の手段によって取り付けられている。
【００２６】
なお、前記係止具としては、前記各ヒップアップ用テープ１７、１８の先端部１７ｂ、１８ｂの係止具として鉤ホックの雄部２７、２７が形成されたものであり、これら鉤ホックの雄部２７、２７に対応してガードル本体４の係止用布片２３の一部に鉤ホックの雌部２８、２８を取着したものを用いてもよい。
【００２７】
さらに、この実施の形態では、図３に示すように、ガードル１の前面に位置する左右の前身頃２、３の合わせ部中央に、縦方向に沿ってファスナーが縫着されており、これら左右の前身頃２、３をファスナーが設けられた長さに渡って開閉自在となっていて、前記係止用布片に対して左右のヒップアップ用テープを係止する動作が容易に行なえるように構成されている。
【００２８】
図４は、この発明のヒップアップ用テープの実施例を示すものである。
【００２９】
図４（Ａ）は、伸縮性のあるストレッチ素材をストレート状に形成してテープを構成したもので、両方のテープ１７、１８の先端部（図面右側）に係止具であるフック２７を設けるのが原則であり、アイは、フロント側の裏パネル２３に設けられるが、両方のテープ１７、１８の先端部に係止具であるアイ２８を設けるように構成しても良く、この場合、フロント側の裏パネル２３にはフックが設けられる。
【００３０】
図４（Ｂ）は、伸縮性のあるストレッチ素材を下方に凸となるようにカッティグ形成してテープ１７、１８を構成したもので、着用時に臀部の形状に適合してヒップアップ効果を高める形状となっている。テープ１７、１８の上端部に係止具であるマジックテープ（登録商標）の雄部２９が設けられる。
【００３１】
図４（Ｃ）は、伸縮性のあるストレッチ素材３０を下方に凸となるようにカッティグ形成して構成し，該ストレッチ素材３０に同様に下方に凸となるようにカッティグ形成した幅の狭い低伸縮性の裏当て３１を添設することによりテープの幅方向の下側を低伸縮部として臀部の裾のヒップアップ効果を高めるようしてテープ１７、１８を構成したもので、着用時に臀部の形状に適合してヒップアップ効果を高める形状となっている。テープ１７、１８の上端部に係止具であるアイ２８が設けられる。
【００３２】
図４（Ｄ）は、伸縮性のあるストレッチ素材を下方に凸となるようにカッティグ形成してテープ１７、１８を構成したもので、テープ１７、１８の上端部に係止具であるマジックテープ（登録商標）の雄部２９が設けられる。
【００３３】
図４（Ｅ）は、それぞれが下方に凸となるように異なった伸縮率の布材をカッティグ形成した幅の狭い各テープ３２、３３、３４を幅方向の下側より順次伸縮率が高くなるように多層構造に形成してテープ１７、１８を構成したもので、テープ１７、１８の上端部に係止具であるマジックテープ（登録商標）の雄部２９が設けられ　る。これにより、臀部の裾のヒップアップ効果を高めるとともに臀部における頂部と裾部との間にテープの長さ方向の伸度の急激な段差を生じないので、テープ１７、１８の幅方向の張力を漸増する滑らかな変化によってヒップを引き寄せることを可能にするので、ヒップ部の伸度の段差に起因して生じる「引きずり」によって着用者に違和感を生じさせることがない。
【００３４】
しかも、前記テープの幅方向の多層構造は臀部の裾部から頂部に向かう方向についても伸度の漸増作用があり、テープのボトム本体からの分離性による効果に加えて臀部の「ずり上がり現象」をさらに巧妙に抑制することができる。
【００３５】
また、テープ（バンド）構成でも構成するエラスティックを、グラデーション又は２〜３段階にデニールを替える等により、図４（Ｄ）（Ｅ）の目的を持たせるように構成しても良い。
【００３６】
さらに、上記図４（Ｂ）（Ｃ）（Ｄ）（Ｅ）のカッティングによるテープ体　は、１乃至２枚のフィルム等をコーティングした基布に基づきカットすること　が、カット面のホツレ等の防止を兼ねることから好ましい。
【００３７】
更には、テープ下辺側の耳部をソフトにすることは着用に馴染みやすいので望ましい。
【００３８】
以上の構成において、この実施の形態に係るヒップアップテープ付ボトムとしてのガードルでは、次のようにして、ヒップアップ用のテープが外部に露出することがなく、外観に優れているとともに、ヒップアップ用のテープが絡まったりすることがなく、着用動作が容易に行なえ、着用性に優れたものとなっている。
【００３９】
すなわち、上記の如く構成されるガードル１では、図５に示すように、ガードル１の着用時に、ガードル１の内側において手で前記伸縮性のあるヒップアップ用のテープ１７、１８をヒップ部の裾部に沿わせて該ヒップ部をヒップアップした後、前記ヒップアップ用テープ１７、１８の上端に設けた係止具２９、２９　を、図２に示すように、ガードル本体４の係止用布片２３の表面に係止することによって、充分なヒップアップ効果が得られるとともに、ヒップアップの程度についても着用者の体型に応じて微妙な調節が可能である。
【００４０】
しかも、前記伸縮性のあるヒップアップ用テープ１７、１８は、それぞれの下端のみがガードル１裏側のマチ部１２に縫着されてボトム本体４とは切り離された挙動を示すので、着用者がかがんだりしてガードル１がずれても、テープ１　７、１８自体は大きくずれることがなく、「ずり上がり現象」を有効に抑止することが可能である。
【００４１】
さらに、この実施の形態では、ガードル１前面のウエスト部近傍の内側に、前記左右のヒップアップ用テープ１７、１８の先端部１７ｂ、１８ｂを係止具２９によって係止するための係止用布片２３を、外部に露出しないように縫着したので、左右のヒップアップ用のテープ１７、１８が外部に露出することがなく、外観に優れているとともに、ヒップアップ用のテープ１７、１８が絡まったりすることがなく、着用動作が容易に行なえ、着用性に優れたものとなっている。
【００４２】
また、この実施の形態では、ヒップアップテープ付ボトムの前身頃に、その中央部に縦方向に沿ってファスナーを設け、前記係止用布片２３に対して左右のヒップアップ用テープ１７、１８を係止する動作を容易としたので、左右のヒップアップ用テープ１７、１８が外部に露出することがなく、しかも、ヒップアップ用テープ１７、１８の係止動作を容易に行なうことができる。
【００４３】
また、この実施の形態では、ガードル１の内面にヒップアップ用テープ１７、１８を案内する案内部２１、２２を設け、ガードル１の着用時に前記一対の各ヒップアップ用テープ１７、１８がこれら左右の案内部を通ってガードル１の表側に出るように構成すれば、体の前方にて容易に前記調節を行うことができる。さらに、各ヒップアップ用テープ１７、１８が人体のヒップ部に直接接触せず、違和感を感じることもない。
【００４４】
そして前記係止具がボトム本体４の係止用布片２３に形成される雌部に係止する雄部とすれば、ボトム本体４の前部のどの部分にでも係止することができて、調節範囲が広範囲である。
【００４５】
また前記伸縮性のあるヒップアップ用テープに幅の狭い低伸縮性の裏当てを添設することによりテープの幅方向の下側を低伸縮部とすれば、臀部の裾のヒップアップ効果を高めることができる。
【００４６】
さらに、前記ヒップアップ用テープを幅方向の下側より順次伸縮率が高くなるように異なった伸縮率の布材からなる多層構造に構成すれば、臀部の裾のヒップアップ効果を高めるとともに臀部における頂部と裾部との間にテープの長さ方向の伸度の急激な段差を生じないようにして、充分なヒップアップ効果を保持しながら、テープの幅方向の張力を漸増する滑らかな変化によってヒップを引き寄せることを可能にするので、ヒップ部の伸度の段差に起因して生じる「引きずり」によって着用者に違和感を生じさせることがない。
【００４７】
しかも、前記ヒップアップ用テープの幅方向の多層構造は臀部の裾部から頂部に向かう方向についても伸度の漸増作用があり、テープのボトム本体からの分離性による効果に加えて臀部の「ずり上がり現象」をさらに巧妙に抑制することができる。
【００４８】
以上、本考案の各実施例を説明してきたが、本考案の趣旨の範囲内において、ガードル、パンティ等ボトムの形状、材質、テープの幅、形状、長さ、係止具の形態、位置、スリット部の位置、幅、テープとマチ部との縫合形態等については適宜選択できるものであることは言うまでもない。本発明では、テープが比較的短く形成されてボトム本体内の裏側でテープの上端部が係止される場合もあり得る。
【００４９】
また、テープにおいて低伸縮部を形成するのに伸縮性生地あるいは裏地にジグザグ部を呈するごとく低伸縮性糸を編み込んでもよい。
【００５０】
また、低伸縮部を異なった色に彩色して商品としての識別やデザイン的な変化を楽しむことも可能である。
【００５１】
【発明の効果】
以上詳細に説明したように、この発明によれば、ヒップアップ用のテープが外部に露出することがなく、外観に優れているとともに、ヒップアップ用のテープが絡まったりすることがなく、着用動作が容易に行なえ、着用性に優れたヒップアップテープ付ボトムを提供することができる。
【図面の簡単な説明】
【図１】図１はこの発明の実施の形態１に係るヒップアップテープ付ボトムを示す構成図である。
【図２】図２はこの発明の実施の形態１に係るヒップアップテープ付ボトムの要部を示す構成図である。
【図３】図３はこの発明の実施の形態１に係るヒップアップテープ付ボトムの要部を示す構成図である。
【図４】図４はこの発明の実施の形態１に係るヒップアップテープ付ボトムのヒップアップテープを示す構成図である。
【図５】図５はこの発明の実施の形態１に係るヒップアップテープ付ボトムを示す構成図である。
【図６】図６は従来のボトムを示す構成図である。
【図７】図７はこの発明の実施の形態１に係るヒップアップテープ付ボトムの要部を示す構成図である。
【図８】図８はこの発明の実施の形態１に係るヒップアップテープ付ボトムの要部を示す構成図である。
【符号の説明】
１：ガードル（ヒップアップテープ付ボトム）、２：左身頃部、３：右身頃　部、１７、１８：左右のヒップアップ用テープ、２３：フロント側の裏パネル。
【図１】
2004019012.tif 000003
【図２】
2004019012.tif 000004
【図３】
2004019012.tif 000005
【図４】
2004019012.tif 000006
【図５】
2004019012.tif 000007
【図６】
2004019012.tif 000008
【図７】
2004019012.tif 000009
【図８】
2004019012.tif 000010